(57)【要約】      （修正有）【課題】連結台盤に対し脚体と支柱の取り付けを簡単、確実にする。【解決手段】灯体を取り付ける連結台盤１と、連結台盤の下面側に取付けこれを床面上に据え置くための３本の脚体２と、脚体間の間隔維持と補強のためのスティすなわち三角と、連結台盤の上面側に取付け火袋を吊るす雲手４を支持するための２本の支柱３と、ろうそく型電球等の発光体と、この発光体を包み込む火袋５とで構成する。【選択図】図１８
0003104936.tif 000002
【実用新案登録請求の範囲】
【請求項１】
灯体を取り付ける連結台盤に対し３本の脚体を下面側に火袋を吊るす雲手を支持する２本の支柱を上面側にそれぞれ取り付ける形態の行灯において、
前記連結台盤１が中央部に発光体挿着孔Ｈ１を構成する挿入孔１１１と、前記挿着孔１１１に隣接して大径のコード引出し孔Ｈ２を構成する引き出し孔１１２と、盤体１１ａを３分割した周縁側に長尺のボス１２３ａ〜１２３ｃを挿入する貫通孔１１３ａ〜１１３ｃと、前記盤体１１ａを２分割した周縁側に短尺のボス１２４ａ，１２４ｂを挿入する挿入穴１１４ａ，１１４ｂをそれぞれ設けた台盤本体11に、中央部に前記盤体１１に開けた挿着孔１１１とで発光体挿入孔Ｈ１を構成する同径の挿着孔１２１と、前記挿着孔１２１に隣接してコード引出し孔Ｈ２を構成する同径の引出し孔１２２を設け、裏面に前記貫通孔１１３ａ〜１１３ｃ内に挿入可能な長尺のボス１２３ａ〜１２３ｃと、前記挿入穴１１４ａ,１１４b内に挿入可能な短尺のボス１２４a,１２４ｂをそれぞれ突設し、前記した各長尺のボス１２３ａ〜１２３ｃには表面側からボス長の略中央部分に平らな穴底１２３２を形成するストレート穴１２３１を開け、前記穴底１２３２からボス端１２３３までと短尺の各ボス１２４ａ，１２４ｂにはそれぞれ脚体および支柱の装着部１２３Ａ〜１２３Ｃ，１２４Ａ〜1２４Ｃを設けた上板１２を嵌合し、両者を固定するネジ１４ａ〜１４ｃで火袋止め１３ａ〜１３ｃを回動自在に取り付けた連結台盤１であり、前記脚体が一方の端縁２２に差込み棒２１１を突設しこの棒の端部に前記係止孔１２３６の角孔１２３５に挿通し得る係止片２１２を設けた係止部２１を取り付けた脚体２で、前記支柱が一方の端縁３２に差込み棒３１１を突設しこの棒の端部に前記係止孔１２４６の角孔１２４５に挿通し得る係止片３１２を設けた係止部３１を取り付けた支柱３でそれぞれあることを特徴とする行灯。
【請求項２】
請求項１記載の脚体および支柱装着部１２３Ａ〜１２３Ｃ，１２４Ａ〜１２４Ｃを構成する係止孔１２３６，１２４６が、各ボス１２３，１２４の直径の約１／２〜１／３程度の丸孔１２３４，１２４４とこの丸孔の中心を通る線に沿って前記丸孔径の約１／３に相当する長方形の角孔１２３５，１２４５を前記丸孔１２３４，１２４４に開口するように鍵穴を穴の中心でシンメトリックに折り返した形の係止孔であることを特徴とする行灯。
【請求項３】
請求項１記載の各係止部２１，３１が、方形の取付け座２１３の一面に差込み棒２１１を突設し、この棒の端部左右に係止片２１２を張設し、前記差込み棒２１１の中心に取付け孔２１４を開け、前記取付け座２１３の裏面に周り止め用の突起２１５を設けた構成であることを特徴とする行灯。
【請求項４】
請求項１および２記載の脚体および支柱装着部１２３Ａ〜１２３Ｃ，１２４Ａ〜１２４Ｃの各係止部２１，３１挿入側とは反対側の丸孔１２３４，１２４４開口縁の対象位置に係止片２１２，３１２幅に見合う間隔を明けて２個づつクリック機能をもたせる突起１２３７，１２４６を設けたことを特徴とする行灯。
【考案の詳細な説明】
【技術分野】
【０００１】
この考案は、一般に大内行灯と呼ばれる３本の脚体を持った据え置き型の提灯にかかり、さらに詳述すれば灯体を取り付ける一般にロクロと称す連結台盤に対する３本の脚体と、火袋を吊るす雲手を支持する支柱の取付け構造に関するものである。
【背景技術】
【０００２】
大内行灯と呼ばれる３本の脚体を持った据え置き型の提灯においては、灯体を取り付ける連結台盤に対し、その下面側に３本の脚体と、上面側に火袋を吊るす雲手を支持するための２本の支柱が収納をコンパクトなものにするため、それぞれが着脱自在に取り付け得る構造が採用されている。
【０００３】
その一つの例として特許文献１および図１９〜２１に示すように、上面に火袋吊り用の２本支柱１０３を突設し、下面に３本の脚体１０２を突設するための連結部１０１ａ，１０１ｂを具えた提灯用台座１０１において、前記連結部１０１ｂには上方外側に向けて穿設された前記脚体１０２の差込み部１０２ａを取り付けるための３個の凹部１０４ａ〜１０４ｃが設けられており、この連結部１０２ａの凹部１０４ａ〜１０４cに、内側面に穿孔が形成された脚体１０２の上端差込み部１０４を挿入し、この脚体１０２の内側面の穿孔に図示してない脚固定用部材の先端部を挿入することにより、前記複数本の脚体１０２が前記連結部１０１ｂの凹部１０４ａ〜１０４ｃを基点として拡開し、前記連結基材１０１ａには、この連結部１０１ａ側から下に向けて穿設され支柱１０３の一端に形成した差込み部１０３ａを挿着するための２個の凹部１０５ａ，１０５ｂが設けられており、この連結部１０１ａの凹部１０ａ，１０５ｂに、２本の支柱１０３を垂直に挿着固定した提灯用台座が記載されている。
なお、図中１０６は灯挿着孔、１０７はコード引き出し孔、１０８ａ〜１０８ｃは火袋止めである。
【０００４】
また特許文献２には、上述した凹部に先端部を挿入した状態をさらに確実なものにするために、台板に設けた嵌入穴底部と脚および上柱に設けた嵌合体端部に、それぞれ磁石を埋設し、台板嵌入穴と脚および上柱嵌合体を断面において同一寸法とし、台板に脚および上柱を嵌合した時、台板と脚および上柱間に僅少な隙間が出来るよう嵌入体を設けた提灯用台座が記載されている。
【０００５】
さらに特許文献３には、上述した凹部に先端部を挿入した状態をさらに確実なものにするために、台の上面側に柱を取付け、前記台と柱の上端部との間で火袋を展開して支持する提灯 であって、台における柱の取付け位置に、台の上面から下方へと前記台の厚さ方向の途中まで延びると共に、正円形以外の水平断面形状を有する凹部を形成し、前記台における前記柱の取付け位置に、前記凹部より小さい平面方向の寸法で前記凹部に連続して、前記台の下面側に露出する位置まで前記台の厚さ方向に貫通して延びる貫通孔を形成し、前記柱の下端に、前記台の凹部に対応する形状で下方に延び、前記台の凹部に密接して嵌め込み自在な突部を一体形成し、前記柱の突部の下端に、前記突部より小さい平面方向の寸法で、かつ、前記台の貫通孔より長い寸法で下方に延びる雄螺子を一体的に設け、前記柱の突部を前記台の凹部内に嵌め込むと共に、前記柱の雄螺子を前記台の貫通孔に挿入し、前記台の貫通孔より露出した前記雄螺子の下端部に雌螺子を螺合することにより、前記台の上面側に前記柱を取り付けるようにした提灯雅記載されている 。
【特許文献１】特開２００３−２７５０９０号公報
【特許文献２】登録実用新案第３０２４７８１号公報
【特許文献３】特開２００１−１７３９３４号公報
【考案の開示】
【考案が解決しようとする課題】
【０００６】
特許文献１に記載の連結台盤においては、３本の脚体と火袋を吊るす雲手を支持する支柱の取付け構造が、一般に言われている「ほぞ継ぎ」形式なので、組み立て回数が増えればその回数に比例して嵌合部分に磨耗が生じ、そのために「がた」が発生し、組み立て後の持ち運びにあたっては脚体や支柱が連結台盤から抜脱してしまうと言う問題がある。
【０００７】
特許文献２に記載の連結台盤においては、３本の脚体と火袋を吊るす雲手を支持する支柱の取付け構造が、「ほぞ継ぎ」形式の前述した問題を解決することはできるが複数個の磁石を埋め込むため製造コストがかかり、経年的には磁石を固定する接着剤の劣化等で磁石が外れてしまうと言うような問題がある。
【０００８】
特許文献３に記載の連結台盤においては、３本の脚体と火袋を吊るす雲手を支持する支柱の取付け構造は、連結台盤と脚体ならびに支柱の取付けはボルトやナットを用いての結合なので完全であるが、組み立て並びに分解時には脚体と支柱都合５本を連結台盤に対しナットを介して螺着またはナットの取り外しを行う必要がありこれは非常に面倒であると言う問題がある。
【課題を解決するための手段】
【０００９】
この考案は、大内行灯における連結台盤に対する前記各問題点を解決するために、灯体を取り付ける連結台盤に対し３本の脚体を下面側に火袋を吊るす雲手を支持する２本の支柱を上面側にそれぞれ取り付ける形態の行灯において、
前記連結台盤１が中央部に発光体挿着孔Ｈ１を構成する挿入孔１１１と、前記挿着孔１１１に隣接して大径のコード引出し孔Ｈ２を構成する引き出し孔１１２と、盤体１１ａを３分割した周縁側に長尺のボス１２３ａ〜１２３ｃを挿入する貫通孔１１３ａ〜１１３ｃと、前記盤体１１ａを２分割した周縁側に短尺のボス１２４ａ，１２４ｂを挿入する挿入穴１１４ａ，１１４ｂをそれぞれ設けた台盤本体11に、中央部に前記盤体１１に開けた挿着孔１１１とで発光体挿入孔Ｈ１を構成する同径の挿着孔１２１と、前記挿着孔１２１に隣接してコード引出し孔Ｈ２を構成すると同径の引出し孔１２２を設け、裏面に前記貫通孔１１３ａ〜１１３ｃ内に挿入可能な長尺のボス１２３ａ〜１２３ｃと、前記挿入穴１１４ａ,１１４b内に挿入可能な短尺のボス１２４a,１２４ｂをそれぞれ突設し、前記した各長尺のボス１２３ａ〜１２３ｃには表面側からボス長の略中央部分に平らな穴底１２３２を形成するストレート穴１２３１を開け、前記穴底１２３２からボス端１２３３までと短尺の各ボス１２４ａ，１２４ｂにはそれぞれ鍵穴を穴の中心でシンメトリックに折り返した形の係止孔１２３６，１２４６をそれぞれ形成した脚体および支柱装着部１２３Ａ〜１２３Ｃ，１２４Ａ〜１２４Ｃを設けた上板１２を嵌合し、両者を固定するネジで火袋止め１３ａ〜１３ｃを回動自在に取り付けた連結台盤１であり、前記脚体が一方の端縁２２に差込み棒２１１を突設しこの棒の端部に前記係止孔１２３６の角孔１２３５に挿通し得る係止片２１２を設けた係止部２１を取り付けた脚体２で、前記支柱が一方の端縁３２に差込み棒３１１を突設しこの棒の端部に前記係止孔１２４６の角孔１２４５に挿通し得る係止片３１２を設けた係止部３１を取り付けた支柱３でそれぞれあり、
【００１０】
前記脚体および支柱装着部１２３Ａ，１２４Ａを構成する係止孔１２３６，１２４６が、各ボス１２３，１２４の直径の約１／２〜１／３程度の丸孔１２３４，１２４４とこの丸孔の中心を通る線に沿って前記丸孔径の約１／３に相当する長方形の角孔１２３５，１２４５を前記丸孔１２３４，１２４４に開口するように鍵穴を穴の中心でシンメトリックに折り返した形の係止孔であって、
【００１１】
前記各係止部２１，３１が、方形の取付け座２１３の一面に差込み棒２１１を突設し、この棒の端部左右に係止片２１２を張設し、前記差込み棒２１１の中心に取付け孔２１４を開け、前記取付け座２１３の裏面に周り止め用の突起２１５を設け、
【００１２】
請求項１および２記載の脚体および支柱装着部１２３Ａ〜１２３Ｃ，１２４Ａ〜１２４Ｃの各係止部２１，３１挿入側とは反対側の丸孔１２３４，１２４４開口縁の対象位置に係止片２１２，３１２幅に見合う間隔を明けて２個づつクリック機能をもたせる突起１２３６，１２４６を設けることにより解決できる。
【考案の効果】
【００１３】
請求項１記載の考案は、灯体を取り付ける連結台盤に対し３本の脚体を下面側に火袋を吊るす雲手を支持する２本の支柱を上面側にそれぞれ取り付ける形態の行灯において、
前記連結台盤１が中央部に発光体挿着孔Ｈ１を構成する挿入孔１１１と、前記挿着孔１１１に隣接して大径のコード引出し孔Ｈ２を構成する引き出し孔１１２と、盤体１１ａを３分割した周縁側に長尺のボス１２３ａ〜１２３ｃを挿入する貫通孔１１３ａ〜１１３ｃと、前記盤体１１ａを２分割した周縁側に短尺のボス１２４ａ，１２４ｂを挿入する挿入穴１１４ａ，１１４ｂをそれぞれ設けた台盤本体11に、中央部に前記盤体１１に開けた挿着孔１１１とで発光体挿入孔Ｈ１を構成する同径の挿着孔１２１と、前記挿着孔１２１に隣接してコード引出し孔Ｈ２を構成すると同径の引出し孔１２２を設け、裏面に前記貫通孔１１３ａ〜１１３ｃ内に挿入可能な長尺のボス１２３ａ〜１２３ｃと、前記挿入穴１１４ａ,１１４b内に挿入可能な短尺のボス１２４a,１２４ｂをそれぞれ突設し、前記した各長尺のボス１２３ａ〜１２３ｃには表面側からボス長の略中央部分に平らな穴底１２３２を形成するストレート穴１２３１を開け、前記穴底１２３２からボス端１２３３までと短尺の各ボス１２４ａ，１２４ｂにはそれぞれ脚体および支柱の装着部１２３Ａ〜１２３Ｃ，１２４Ａ〜1２４Ｃを設けた上板１２を嵌合し、両者を固定するネジ１４ａ〜１４ｃで火袋止め１３ａ〜１３ｃを回動自在に取り付けた連結台盤１であり、前記脚体が一方の端縁２２に差込み棒２１１を突設しこの棒の端部に前記係止孔１２３６の角孔１２３５に挿通し得る係止片２１２を設けた係止部２１を取り付けた脚体２で、前記支柱が一方の端縁３２に差込み棒３１１を突設しこの棒の端部に前記係止孔１２４６の角孔１２４５に挿通し得る係止片３１２を設けた係止部３１を取り付けた支柱３でそれぞれあるため、前記連結台盤は部品点数が少なく組み立てが容易であり、該台盤に取り付ける脚体と支柱の取り付け取り外しが簡単で堅固である等の効果を有する。
【００１４】
請求項２記載の考案は、請求項１記載の脚体および支柱装着部１２３Ａ〜１２３Ｃ，１２４Ａ〜１２４Ｃを構成する係止孔１２３６，１２４６が、各ボス１２３，１２４の直径の約１／２〜１／３程度の丸孔１２３４，１２４４とこの丸孔の中心を通る線に沿って前記丸孔径の約１／３に相当する長方形の角孔１２３５，１２４５を前記丸孔１２３４，１２４４に開口するように鍵穴を穴の中心でシンメトリックに折り返した形の係止孔であるため、脚体や支柱の着脱が簡単であるという効果がある。
【００１５】
請求項３記載の考案が請求項１記載の各係止部２１，３１が、方形の取付け座２１３の一面に差込み棒２１１を突設し、この棒の端部左右に係止片２１２を張設し、前記差込み棒２１１の中心に取付け孔２１４を開け、前記取付け座２１３の裏面に周り止め用の突起２１５を設けた構成であるため、脚体や支柱の短部にビス１本で取り付けられしかもビスを中心に回動することが無く、脚体や支柱と一体で無いので破損時この部分のみの取替えで済むという効果を有する。
【００１６】
請求項４記載の考案が請求項１および２記載の脚体および支柱装着部１２３Ａ〜１２３Ｃ，１２４Ａ〜１２４Ｃの各係止部２１，３１挿入側とは反対側の丸孔１２３４，１２４４開口縁の対象位置に係止片２１２，３１２幅に見合う間隔を明けて２個づつクリック機能をもたせる突起１２３７，１２４６を設けたので、脚体ならびに支柱取付時に回転角度の制約が出来正しい向きにとりつけできるという効果を有する。
【考案を実施するための最良の形態】
【００１７】
この考案を実施するための最良の形態は、灯体を取り付ける連結台盤に対し３本の脚体を下面側に火袋を吊るす雲手を支持する２本の支柱を上面側にそれぞれ取り付ける形態の行灯において、
前記連結台盤１が中央部に発光体挿着孔Ｈ１を構成する挿入孔１１１と、前記挿着孔１１１に隣接して大径のコード引出し孔Ｈ２を構成する引き出し孔１１２と、盤体１１ａを３分割した周縁側に長尺のボス１２３ａ〜１２３ｃを挿入する貫通孔１１３ａ〜１１３ｃと、前記盤体１１ａを２分割した周縁側に短尺のボス１２４ａ，１２４ｂを挿入する挿入穴１１４ａ，１１４ｂをそれぞれ設けた台盤本体11に、中央部に前記盤体１１に開けた挿着孔１１１とで発光体挿入孔Ｈ１を構成する同径の挿着孔１２１と、前記挿着孔１２１に隣接してコード引出し孔Ｈ２を構成すると同径の引出し孔１２２を設け、裏面に前記貫通孔１１３ａ〜１１３ｃ内に挿入可能な長尺のボス１２３ａ〜１２３ｃと、前記挿入穴１１４ａ,１１４b内に挿入可能な短尺のボス１２４a,１２４ｂをそれぞれ突設し、前記した各長尺のボス１２３ａ〜１２３ｃには表面側からボス長の略中央部分に平らな穴底１２３２を形成するストレート穴１２３１を開け、前記穴底１２３２からボス端１２３３までと短尺の各ボス１２４ａ，１２４ｂにはそれぞれ鍵穴を穴の中心でシンメトリックに折り返した形の係止孔１２３６，１２４６をそれぞれ形成した脚体および支柱装着部１２３Ａ〜１２３Ｃ，１２４Ａ〜１２４Ｃを設けた上板１２を嵌合し、両者を固定するネジで火袋止め１３ａ〜１３ｃを回動自在に取り付けた連結台盤１であり、前記脚体が一方の端縁２２に差込み棒２１１を突設しこの棒の端部に前記係止孔１２３６の角孔１２３５に挿通し得る係止片２１２を設けた係止部２１を取り付けた脚体２で、前記支柱が一方の端縁３２に差込み棒３１１を突設しこの棒の端部に前記係止孔１２４６の角孔１２４５に挿通し得る係止片３１２を設けた係止部３１を取り付けた支柱３でそれぞれあって、前記脚体および支柱装着部１２３Ａ，１２４Ａを構成する係止孔１２３６，１２４６が、各ボス１２３，１２４の直径の約１／２〜１／３程度の丸孔１２３４，１２４４とこの丸孔の中心を通る線に沿って前記丸孔径の約１／３に相当する長方形の角孔１２３５，１２４５を前記丸孔１２３４，１２４４に開口するように鍵穴を穴の中心でシンメトリックに折り返した形の係止孔であり、各係止部２１，３１が、方形の取付け座２１３の一面に差込み棒２１１を突設し、この棒の端部左右に係止片２１２を張設し、前記差込み棒２１１の中心に取付け孔２１４を開け、前記取付け座２１３の裏面に周り止め用の突起２１５を設けた構成であると共に脚体および支柱装着部１２３Ａ，１２４Ａの各係止部２１，３１挿入側とは反対側の丸孔１２３４，１２４４開口縁の対象位置に係止片２１２，３１２幅に見合う間隔を明けて２個づつクリック機能をもたせる突起１２３６，１２４６を設けることで解決できる。
【実施例１】
【００１８】
この考案の大内行灯は、灯体を取り付ける連結台盤と、前記連結台盤の下面側に取付けこれを床面上に据え置くための３本の脚体と、前記脚体間の間隔維持と補強のためのスティすなわち三角と、前記連結台盤の上面側に取付け火袋を吊るす雲手を支持するための２本の支柱と、ろうそく型電球等の発光体と、この発光体を包み込む火袋とで概略構成する。高級なものは紫檀や黒檀等の天然材が使用されているが、一般的には紫檀や黒檀の木目や色を模した合成樹脂で作られたものが多い。
連結台盤１は図１〜９に示すように円盤状の盤体１１ａとその一面側に一体のフランジ１１ｂとで構成する台盤本体１１とこの台盤本体１１上に取り付ける円板状の上板１２と、図１８に示すように火袋５の下輪５１の下縁がを台盤１１ａフランジ１１ｂ上に接するようにに係止する３個の火袋止め１３ａ〜１３ｃの３種類のパーツと、これらを一体に取り付ける３本のネジ１４とで構成する。
【００１９】
台盤本体１１は図２および３に示すようにフランジ１１ｂとこのフランジ１１ｂよりも小径で前記フランジ１１ｂの厚みに比し４倍程度に厚く火袋５の下輪５１の幅に略等しい厚みの盤体１１ａとで構成し、前記盤体１１ａの中央部には後述する上板１２の挿入孔１２１と対をなして「ろうそく型電球」等の発光体を挿着るための発光体挿着孔Ｈ1を形成する挿入孔１１１と、前記挿入孔１１１に隣接して後述する上板１２の引き出し孔１２２と対をなして前記挿着孔Ｈ１に挿着する発光体とコンセントとを繋ぐコードを前記連結台盤１の下方に引き出すための大径のコード引出し孔Ｈ２を形成する引き出し孔１１２とをそれぞれ設ける。
【００２０】
また、図３に示すように、前記盤体１１ａには円周域を１２０°づつ３分割した周縁側に後述する上板１２の裏面に突設した３個の長尺ボス１２３ａ〜１２３ｃがそれぞれ挿入し得る大きさの貫通孔１１１，１１２および１１３ａ〜１１３ｃと、前記発光体挿着孔Ｈ１の中心を通りかつ前記各孔１１３ａ１〜１３ｃに接しない線上で前記盤体１１の周縁側に後述する上板１２の裏面に突設した２個の短尺のボス１２４ａ，１２４ｂがそれぞれ挿入し得る大きさで前記盤体１１の厚みの約３／４に相当する有底状の挿入穴１１４ａ，１１４ｂを形成する。
【００２１】
これらの各孔１１３ａ〜１１３ｃおよび穴１１４ａ，１１４ｂは発光体挿着孔Ｈ１を中心に同一円周上に配設されている。したがって、盤体１１ａの各孔１１２，１１３ａ〜１１３ｃおよび穴１１４ａ，１１４ｂは前述のように発光体挿着孔Ｈ１を構成する挿入孔１１１を中心に同一円周上に配設されているので、前記挿着孔１１１を中心に台盤本体１１を回転させることで通常の旋盤でも容易に孔および穴を開けることができる。また、合成樹脂製なので型を用いて同時に加工しても良い。
【００２２】
上板１２は図１および４に示すように、前記した盤体１１aと同径の円板で、その円周域を１２０°づつ３分割した周縁側に後述する火袋止め１３ａ〜１３ｃを取付けるための切り欠き１２５ａ〜１２５ｃと、中心に前記盤体１１に開けた発光体挿着孔Ｈ１をなす挿入孔１１１と同径の孔１２１と、前記孔１２１に隣接して前述した盤体１１の引き出し孔１１２と前記挿着孔Ｈ１に挿着する発光体とコンセントとを繋ぐコードを前記連結台盤１の下方に引き出すための大径のコード引出し孔Ｈ２を形成する引き出し孔１２２とをそれぞれ設ける。
【００２３】
また、図４に示すように、上板１２の裏面にはその円周域を１２０°づつ３分割した周縁側で前記切り欠き１２５ａ〜１２５ｃの形成位置から６０°づつ反時計方向に進めた前記盤体１１aの挿入孔１１３ａ１〜１３ｃ形成位置でかつ前記台盤１１aの厚みに等しく前記挿入孔１１３ａ１〜１３ｃに挿入可能な外径で円筒状の長尺ボス１２３ａ〜１２３ｃと、前記発光体挿着孔Ｈ１を構成する挿入孔１２１の中心を通りかつ前記各長尺ボス１２３ａ〜１２３ｃに接しない線上で前記盤体１１の挿入穴１１４ａ，１１４ｂ位置に前記挿入穴１１４ａ，１１４ｂの深さの約１／２程度の深さで前記盤体１１の２個の挿入穴１１４ａ，１１４ｂに挿入可能な外径で円筒形の短尺ボス１２４ａ，１２４ｂをそれぞれ突設する。
【００２４】
前記した３個の長尺ボス１２３ａ〜１２３ｃには図５（ａ），（ｂ）に示すように、上板１２の表面側からボス長の約２／３程度まで前記ボス径よりも若干小径で穴底１２３２が平らなストレート穴１２３１を開け、前記穴底１２３２からボス端１２３３まで中心にボス径の約１／２〜１／３程度の丸孔１２３４とこの丸孔１２３４の中心を通る線に沿って前記丸孔１２３４の両端にその直径の約２／３に相当する幅の長方形の角孔１２３５を前記丸孔１２３４に開口するようにΦ字状すなわち通常の鍵穴を穴の中心でシンメトリックに折り返した形状の係止孔１２３６形成させて脚体挿着部１２３Ａ〜１２３Ｃを設ける。
【００２５】
前記した２個の短尺ボス１２４ａ，１２４ｂには図６（ａ），（ｂ）に示すように、それぞれ上板１２の表面側１２４１からボス端１２４２までの全長に亘って前記ボス１２４ａ，１２４ｂの中心にボス径の約１／２〜１／３程度の丸孔１２４４とこの丸孔１２４４の中心を通る線に沿って前記丸孔１２４４の両側のその直径の約２／３に相当する幅の長方形の角孔１２４５を前記丸孔１２４４に開口するようにΦ字状すなわち通常の鍵穴を穴の中心でシンメトリックに折り返した形状の係止孔１２４２３形成させて脚体挿着部１２４Ａ〜１２４Ｃ設ける。
【００２６】
前記脚体および支柱装着部１２３Ａ〜１２３Ｃ，１２４Ａ〜１２４Ｃの脚体２および支柱３の各係止部２１，３１を挿入する側とは反対側の丸孔１２３４，１２４４開口縁で対象位置に係止片２１２，３１２幅に見合う間隔を明けて２個づつクリック機能をもたせるための突起１２３７，１２４６をそれぞれ設ける。
【００２７】
図４および図７に示すように、上板１２の裏面でその円周域を１２０°づつ３分割した周縁側に設けた各切り欠き１２５ａ〜１２５ｃの時計方向の縁に後述する火袋止め１３ａ〜１３ｃの厚み分に相当するだけ板を表面側にクランク状に折り曲げて図７および９に示すように取付部１２５１ａ〜１２５１ｃを形成し、後述する火袋止め１３ａ〜１３ｃ一端を軸止めすると共に、この上板１２を盤体１１a上に前記火袋止め１３ａ〜１３ｃ共々固定するためのネジ孔１２５３ａ〜１２５３ｃを明けたボス１２５２ａ〜１２５２ｃを設ける。
【００２８】
この取付部１２５１ａ〜１２５１ｃの各壁面１２５４a〜１２５４cには２個づつ小さい突起１２５５ａ〜１２５５ｃを設け、火袋止め１３ａ〜１３ｃの後述する突起１２５５a〜１２５５cと係合してクリック機能が生じるようにする。
【００２９】
上板１２は、合成樹脂製なので型で一体加工しても、上板１２とボス１２３a〜１２３cおよび１２４a〜１２４cと一体の脚体挿着部１２３Ａと支柱挿着部１２４Ａは別体とし、ボスは筒状体とし脚体挿着部１２３Ａと支柱挿着部１２４Ａは前記筒状体内に嵌着可能な円柱状として別個に作成して、板に開けた孔および筒状体内に挿着固定しても良い。このようにすることで共通部品化でき金型が安価にできる。
【００３０】
火袋止め１３ａ〜１３ｃは図８に示すように、止め具部１３１の一方の端部下面に傾斜面１３２を、他方の端部には環状の取り付け部１３３を共に形成し、止め具部１３１の上面には補強用のリブ１３４、取り付け部１３３の外側で取り付け部１３３の中心線位置に前記突起１２５５ａ〜１２５５ｃと回転時係合してクリック機能を付加させる。
【００３１】
連結台盤１は以上のような構成物からなり、図１，２および図９（ａ），（ｂ）に示すように、これらは上板１２を先ず逆さにして、切り欠１２５ａ〜１２５ｃに形成されている取付部１２５１ａ〜１２５１ｃのボス１２５２ａ〜１２５２ｃが火袋止め１３ａ〜１３ｃリブ１３２形成面を下にしての取付部１３３に挿入して取り付ける。
【００３２】
次に、上板１２の３個の長尺ボス１２３ａ１２３ｃが盤体１１ａの挿入孔１１３ａ〜１１３ｃに、２個の短尺ボス１２４ａ，１２４ｂが挿入穴１１４ａ，１１４ｂにそれぞれ挿入するように台盤本体１１を前記上板１２上に載せ両者を嵌合する。
この後、上板１２側が上になるように裏返して上板１２のネジ孔１２５３から火袋止め１３ａ〜１３ｃの取付部１２３を通して盤体１１ネジ穴にネジ１４ａ〜１４ｃを挿入して盤体１１ａの上面に予め設けてあるネジ穴に螺入して３者を一体化して連結台盤１を得る。
【００３３】
脚体２は、図９および図１０〜１２に示すように、略Ｓ字状でその一方の端縁２２に前記脚体挿着部１２３Ａ〜１２４Ｃの丸孔１２３４に挿通可能な直径の差込み棒２１１を突設し、この棒２１１の端部にはで棒の直径方向に前記係止孔１２３６の長方形の角孔１２３５に挿通し得る係止片２１２を張設した係止部２１を設ける。この場合脚体２の端縁２２と前記係止片２１２の下端までの間隔ｌは前記係止孔１２３６の深さより若干長がめに形成し、前記係止孔１２３４に挿入した後前記係止片２１２が前記係止孔１２３４の外側にあって回転が可能であることが必要である。
【００３４】
この係止部２１２は前述したように差込み棒２１１と一体加工しても良いが、前記係止片２１２が欠落した場合全体を取り替えること無く先端部のみ取り替えできるよう図１０に示すように別個に作っても良い。
この脚体２は、同じ物を３脚用意する。合成樹脂製なので型で一体加工しても、脚体２と係止部２１は別個に作成して前述のようにネジ２５で固定しても良い。
【００３５】
また、図１８に示すように前記各脚体２の中間部位で取り付け時内側に向く面には、３本の脚体を連結台盤１に取り付けた後、開脚幅を所定の幅にするためと３本の脚体２を一体化することで強化するための三角５の尖頭部５１を挿入する挿入穴２３が設けてある。
【００３６】
すなわち、係止部２１は図１０，１２に示すように差込み棒２１１の一端に支柱２の端部上面と同じ大きさの馬蹄形の取付け座２１３を、他端にこの棒２１１の端部左右に張設した長方形の角孔１２４２に挿通し得る係止片２１２をそれぞれ設け前記差込み棒２１１の中心には取付け孔２１４が開けられ、前記取付け座２１３の裏面に周り止め用の突起２１５を設ける。
この係止部２１は図１２に示すように脚体２先端上面に予め開けた止め穴２３に取付け座２１３の周り止め用の突起２１５を挿入し、取付け孔２１４を通してネジ２５で脚体２に固定する。
【００３７】
支柱３は図１３ならびに１４に示すように、本体部分が角柱でその一方の端縁３２に前記支柱挿着部１２４Ａ〜１２４Ｃの丸孔１２４１に挿通可能な直径の差込み棒３１１を突設し、この棒３１１の端部左右に張設した長方形の角孔１２４２に挿通し得る係止片３１２をもうけた係止部３１を設ける。この場合脚体３の端縁３２と前記係止片３１２の端縁側の端までの間隔は前記の脚体２の場合と同様係止穴１２４５の深さより若干大きめに形成し、前記係止穴１２４５に挿入したあと前記係止片３１２が係止穴１２４５の外にあって回転が可能であることが必要である。
この係止部は差込み棒と一体加工しても良いが、前記係止片が欠落した場合全体を取り替えること無く先端部のみを取り替えることができるように図１０に示すように別個に作っても良い。
【００３８】
すなわち、係止部３１は図１１に示す脚体ようのものと同じ物が使用できるように共通化する。
この支柱３の他方の端部３４から若干内側で前記角柱の一面に後述する雲手４に設けた尖頭部４１が嵌入してこれを支持する挿入穴３３を設けてある。この支柱は、同じ物を２本用意する。合成樹脂製なので型で一体加工しても、支柱と差込み棒は一体で、係止鍵部は別個に作成して前述のようにビスで差込み棒先に固定しても良い。
【００３９】
雲手４は図１５に示すように、略Ｓ字を引き伸ばした形状の雲形で、下側にある左右からの垂下雲部４１ａ，４１ｂに前記支柱３に設けた挿入穴３３に挿入する一対の尖頭部４２ａ、４２ｂを対抗するように設ける。
【００４０】
この考案の行灯の各構成体は、おのおの以上のような構成である。
行灯として使用する場合には先ず図１６に示すように連結台盤を裏返して脚体２を通常取り付ける状態から９０°回した状態で端部２２の係止部２１を係止孔１２３６内に挿入し、係止片２１２が係止孔１２３６を突き抜けたら脚体２を再び９０°前記方向とは反対方向に回し、前記係止片２１２の下端がストレート穴１２３１の穴底１２３２に設けた突起１２３７の手前の突起を乗り越え次の突起に対接する位置、すなわち前記係止穴１２３６をこれに直角に跨ぐ位置で取付は完了する。
脚体は残りの２本も同様に連結台盤に取り付け、三角で開脚幅を揃え、３本の脚体を一体化する。
【００４１】
次に、連結台盤１１を３本の脚体２を床面に接地させて水平状態にしてから、支柱３を通常取り付いている状態から９０°回した状態で端部の係止部３１を係止孔１２３４内に挿入し、前記係止片３１２が係止穴１２３４を突き抜けたら支柱３を再び９０°前記方向とは反対方向に回すことで前記係止片３１２の下端が短尺ボス１２４の端縁１２４２に設けた突起１２４６の手前の突起を乗り越え次の突起に対接摺る位置、すなわち前記係止穴１２３４を跨ぐ位置で取り付けは完了する。
もう一本の支柱３も同様にして連結台盤１に取り付ける。この場合２本の支柱２の挿入穴３３がそれぞれ内側に位置していることが肝要である。
【００４２】
ここで、連結台盤1の発光体挿着孔Ｈ１にろうそく型電球等の発光体を挿着し、コードをコード引出し孔Ｈ２から該台盤１の下方に引き出す。次に、火袋５の下輪５１側から前記２本の支柱３を前記火袋５内を挿通して支柱３が上輪５２から外方に突き出るように火袋５を取り付ける。
下輪５１は連接台盤１の盤体１１ａ部分を内側に飲み込むようにフランジ１１ｂに当接したら火袋止め１３ａ〜１３ｃを外側にクリックするまで回して下輪５２ａの上縁に係接して固定する。
この後、雲手４を支柱３の挿入穴３３にその突起４２ａ，４２ｂを挿入することで取付け、前記火袋５を引き伸ばしてその上輪５２に取り付けてある一対の吊り紐５３ａ，５３ｂを雲手４に掛ける。
【００４３】
次に、行灯を置くべきところに置いてからコードのプラグをコンセントに差込みスイッチを入れるとで発光体が点灯し、行灯としての機能を発揮する。
【００４４】
用済み後は、上輪５２に取り付けてある一対の吊り紐５３，５３を前記雲手４から外し、支柱３から雲手４を取り外した後、火袋５をたたみ下輪５１と台盤１１ａとの係と状態を火袋止め１３ａ〜１３ｃを戻して外し、雲手４を支柱３から取り外してから火袋５を支柱３に沿って上方に持ち上げて取り除く。
【００４５】
脚体２および支柱３は何れも９０°回して引くことにより係止部２１,３１を係止孔１２３６,１２４６内から抜き脱させることができる。
【産業上の利用可能性】
【００４６】
この考案は、大内提灯あるいは大内行灯に利用できる。
【図面の簡単な説明】
【００４７】
【図１】この考案の連結台盤の平面図。
【図２】同じく底面図。
【図３】台盤本体の斜視図。
【図４】上板の裏面から見た斜視図。
【図５ａ】脚体挿着部の上面図。
【図５ｂ】図５aのＡ―Ａ断線における断面図。
【図６ａ】支持体挿着部の上面図。
【図６ｂ】図６aのＢ―Ｂ断線における断面図。
【図７】火袋止め部となる切り欠き部の裏面図。
【図８ａ】火袋止め部の上面図。
【図８ｂ】同じく側面図・
【図８ｃ】同じく下面図。
【図９ａ】火袋止め部の火袋止めが閉じた状態の平面図。
【図９ｂ】火袋止め部の火袋止めが開いた状態の平面図。
【図１０】脚体挿着部の斜視図。
【図１１】挿着部の四面図。
【図１２】脚体を連結盤体に挿着した状態の断面図。
【図１３】支柱挿着部の斜視図。
【図１４】支柱を連結盤体に挿着した状態の断面図。
【図１５】雲手の斜視図。
【図１６】連結台盤に脚体を取り付ける手順の説明図。
【図１７】連結台盤に支柱を取り付ける手順の説明図。
【図１８】提灯掛け具の組立完成図。
【図１９】従来の連結台盤の平面図。
【図２０】同じく連結台盤の裏面図。
【図２１】同じく脚体取付部の斜視図。
【図２２】同じく支柱取付部の斜視図。
【符号の説明】
【００４８】
Ｈ１：発光体挿着孔
Ｈ２：コード引出し孔
1：連結台盤
11：台盤本体
１１ａ：盤体
１１１：挿入孔
１１２：引き出し孔
１１３ａ〜１１３ｃ：貫通孔
１１４ａ，１１４ｂ：挿入穴
１２：上板
１２１：挿着孔
１２２：引出し孔
１２３Ａ〜１２３Ｃ：挿着部
１２３ａ〜１２３ｃ：長尺のボス
１２３１：ストレート穴
１２３２：穴底
１２３３：ボス端
１２３５：角孔
１２３６：係止孔
１２４Ａ〜１２４Ｃ：挿着部
１２４ａ，１２４ｂ：短尺のボス
１２４５：角孔
１２４６：係止孔
１３ａ〜１３ｃ：火袋止め
１４ａ〜１４ｃ：ネジ
２：脚体
２１：係止部
２１１：差込み棒
２１２：係止片
２２：端縁
３：支柱
３１：係止部
３２：端縁
３１１：差込み棒
３１２：係止片
【図１】
0003104936.tif 000003
【図２】
0003104936.tif 000004
【図３】
0003104936.tif 000005
【図４】
0003104936.tif 000006
【図５ａ】
0003104936.tif 000007
【図５ｂ】
0003104936.tif 000008
【図６ａ】
0003104936.tif 000009
【図６ｂ】
0003104936.tif 000010
【図７】
0003104936.tif 000011
【図８ａ】
0003104936.tif 000012
【図８ｂ】
0003104936.tif 000013
【図８ｃ】
0003104936.tif 000014
【図９ａ】
0003104936.tif 000015
【図９ｂ】
0003104936.tif 000016
【図１０】
0003104936.tif 000017
【図１１】
0003104936.tif 000018
【図１２】
0003104936.tif 000019
【図１３】
0003104936.tif 000020
【図１４】
0003104936.tif 000021
【図１５】
0003104936.tif 000022
【図１６】
0003104936.tif 000023
【図１７】
0003104936.tif 000024
【図１８】
0003104936.tif 000025
【図１９】
0003104936.tif 000026
【図２０】
0003104936.tif 000027
【図２１】
0003104936.tif 000028
【図２２】
0003104936.tif 000029